(57)【要約】  第１の部分と、第１の部分を少なくとも部分的に取り囲む第２の部分と、を含む、分離状被分配製品は、高級な、かつ他とは違う外観を消費者に提供する。
2021527560.tif 000002
【特許請求の範囲】
【請求項１】
ディスペンサ（３１）であって、前記ディスペンサ（３１）は、
第１のリザーバ（３７）及び第２のリザーバ（３９）であって、前記第１のリザーバ（３７）は、第１の組成物を収容し、前記第２のリザーバ（３９）は、第２の組成物を収容する、第１のリザーバ（３７）及び第２のリザーバ（３９）を備え、
前記第２の組成物は、少なくとも部分的に透明であり、
前記第１のリザーバは、第１の出口オリフィス（４３）を含む第１の流体チャネルと流体連通し、前記第２のリザーバ（３９）は、第２の出口オリフィス（４４）を含む第２の流体チャネルと流体連通し、
前記第２の出口オリフィス（４４）は、前記第１の出口オリフィス（４３）の周縁部を少なくとも部分的に取り囲んでいる、ディスペンサ（３１）。
【請求項２】
前記第２の出口オリフィス（４４）は、前記第１の出口オリフィス（４３）の前記周縁部の少なくとも２５％、好ましくは少なくとも４０％を少なくとも部分的に取り囲み、あるいは、前記第２の出口オリフィス（４４）は、前記第１の出口オリフィス（４３）を完全に取り囲んでいる（すなわち、前記第２の出口（４４）は、前記第１の出口（４３）に対して同心である）、請求項１に記載のディスペンサ。
【請求項３】
隔壁は、前記第１の出口オリフィス、又は少なくとも部分的に前記第２の出口オリフィス、あるいは、第１の出口オリフィス及び少なくとも部分的に前記第２の出口オリフィスの両方、を分割している、請求項１又は２に記載のディスペンサ。
【請求項４】
前記第１の出口オリフィスの横断面積と前記第２の出口オリフィスの横断面積の比は、１：５〜１：２０、好ましくは１：８〜１：１５、より好ましくは１：９〜１：１３である、請求項１〜３のいずれか一項に記載のディスペンサ。
【請求項５】
前記第１の出口オリフィスの横断面積は、１ｍｍ２〜５ｍｍ２、又は２〜３．５ｍｍ２であり、前記第２の出口オリフィスの横断面積は、１０ｍｍ２〜５０ｍｍ２、又は２０ｍｍ２〜４０ｍｍ２、又は２５ｍｍ２〜３７ｍｍ２、又は２９ｍｍ２〜３５ｍｍ２である、請求項１〜４のいずれか一項に記載のディスペンサ。
【請求項６】
前記第２の組成物は、ここに記載された部分不透明度試験方法（「ＰＯＴＭ」）によって評価されるパーセント不透明度を有し、前記パーセント不透明度は、１００％以下、好ましくは９０％〜０％、より好ましくは７５％〜０％、更により好ましくは６０％〜０％である、請求項１〜５のいずれか一項に記載のディスペンサ。
【請求項７】
前記第１の組成物は、不透明であり、より好ましくは不透明でありかつ着色剤を有する、請求項１〜６のいずれか一項に記載のディスペンサ。
【請求項８】
前記第２の組成物は、ＰＯＴＭによって評価されるパーセント不透明度を有し、前記パーセント不透明度は、０％以上、好ましくは０％〜９０％、より好ましくは０％〜７５％、更により好ましくは０％〜６０％である、請求項１〜７のいずれか一項に記載のディスペンサ。
【請求項９】
前記第１の組成物と前記第２の組成物との間の前記パーセント不透明度の差は、１％〜１００％、好ましくは２５％〜１００％、より好ましくは５０％〜１００％である、請求項６〜８のいずれか一項に記載のディスペンサ。
【請求項１０】
前記第２の組成物は、ここに記載された部分振動レオメトリー試験方法（「ＰＯＲＴＭ」）によって評価されるクロスオーバー応力を有し、前記クロスオーバー応力は、１０パスカル（Ｐａ）以上、好ましくは１０〜１２０Ｐａ、より好ましくは１０〜８０Ｐａ、更により好ましくは１５〜５０Ｐａである、請求項１〜９のいずれか一項に記載のディスペンサ。
【請求項１１】
前記第１の組成物は、ここに記載された部分振動レオメトリー試験方法（「ＰＯＲＴＭ」）によって評価されるクロスオーバー応力を有し、前記クロスオーバー応力は、５パスカル（Ｐａ）以上、好ましくは５〜１２０Ｐａ、より好ましくは５〜８０Ｐａ、更により好ましくは１０〜５０Ｐａである、請求項１〜１０のいずれか一項に記載のディスペンサ。
【請求項１２】
前記第２の組成物と前記第１の組成物の前記クロスオーバー比は、４：１〜１：４、好ましくは３：１〜１：３、より好ましくは２：１〜１：２であり、クロスオーバー応力は、ここに記載された部分振動レオメトリー試験方法（「ＰＯＲＴＭ」）によって評価される、請求項１〜１１のいずれか一項に記載のディスペンサ。
【請求項１３】
前記第１の組成物は、構造化剤、ゲルネットワーク、又はこれらの組み合わせを含み、好ましくは構造化剤を含み、
好ましくは、前記第１の組成物は、前記第１の組成物の重量に対して、０．０１％〜３０％、好ましくは１％〜１０％の前記構造化剤を含み、
より好ましくは、前記第１の組成物は、前記第１の組成物の重量に対して、少なくとも６０％の水、好ましくは７０％〜９０％、より好ましくは７５％〜８５％の水を更に含む、請求項１〜１２のいずれか一項に記載のディスペンサ。
【請求項１４】
（ｉ）前記第１の部分が、ビタミン又はプロビタミンを含み、前記第２の部分が、前記第１の組成物よりも低いｐＨを含むか、あるいは
（ｉｉ）前記第２の部分が、ビタミン又はプロビタミンを含み、前記第１の部分が、前記第２の部分よりも低いｐＨを含むかのいずれか一方であり、
より好ましくは、前記ビタミン又はプロビタミンは、ナイアシンアミドを含み、
更により好ましくは、前記ビタミン又はプロビタミンを含む前記第１又は第２の部分は、５より大きいｐＨ、好ましくは５より大きく８以下のｐＨを含み、
なおより好ましくは、それぞれ第１及び第２の部分よりも低いｐＨを含む前記第２又は第１の部分は、５以下のｐＨ、好ましくは２．５〜５のｐＨを含む、請求項１〜１３のいずれか一項に記載のディスペンサ。
【請求項１５】
前記ディスペンサは、パーソナルケア製品のディスペンサ、好ましくはスキンケア製品のディスペンサである、請求項１〜１４のいずれか一項に記載のディスペンサ。
【発明の詳細な説明】
【技術分野】
【０００１】
本発明は、全般的には二相製品に関し、特に、パーソナルケアに好適な二相製品に関する。
【背景技術】
【０００２】
二相製品は、一般的に知られている。このような製品を分配するための１つの方法は、並列型デュアルディスペンサによるものである。このような製品は、歯科ケア及びスキンケアを含む少なくともいくつかの消費財カテゴリにおいて入手可能である。しかしながら、今日の消費者は、より優れた識別力を有し、特に、市場で入手可能な無数の選択肢が与えられている。これは、消費者が高級な体験を期待している美容ケアなどのカテゴリにおいて特に当てはまる。これらの高級な体験の多くは、自然界を模倣している。
【発明の概要】
【発明が解決しようとする課題】
【０００３】
したがって、消費者が期待する製品カテゴリの有益な特徴を送達し続けるだけでなく、自然界を模倣する高級な体験をも提供する製品に対する継続的なニーズが存在している。
【課題を解決するための手段】
【０００４】
本発明は、消費者が期待する利益も提供しながら、自然界を模倣する二相製品を提供することによって、少なくとも部分的にこのニーズに対処する。本発明の一態様は、第１の部分と、第１の部分を少なくとも部分的に取り囲む第２の部分と、を含む、分離状被分配製品を提供する。いくつかの例では、分離状被分配製品は、魚卵（例えば、キャビア、サケの卵など）を模倣し、その結果、高級な、かつ他とは違う提供物のイメージを想起させる。ある例では、第２の透明部分は、非透明な第１の部分を部分的に囲む。別の例では、非透明な第１の部分は赤橙色であり、その結果、サケの卵を模倣している。
【０００５】
別の態様は、第１の部分と、第１の部分の最大周縁部の少なくとも５０％より多く、第１の部分を少なくとも部分的に取り囲む第２の部分と、を含む、分離状被分配製品を提供し、最大周縁部は、第１の部分の最大断面積の周囲に画定された周縁部であり、最大断面積は、分離状被分配製品の平面状接触面と平行な平面内か、又は平面状接触面と同一平面内のいずれか一方に存在する。
【０００６】
別の態様は、第１の部分と、第１の部分を少なくとも部分的に取り囲む第２の部分と、を含む、分離状被分配製品を提供し、第２の部分は、本明細書に記載された部分振動レオメトリー試験方法（「ＰＯＲＴＭ」）によって評価されるクロスオーバー応力を有し、第２の部分のクロスオーバー応力は、１０パスカル（Ｐａ）以上である。
【０００７】
別の態様は、第１の部分と、第１の部分を少なくとも部分的に取り囲む第２の部分と、を含む、分離状被分配製品を提供し、第２の部分は、少なくとも部分的に透明であり、好ましくは透明である。
【０００８】
別の態様は、ディスペンサを提供する。ディスペンサは、第１のリザーバ及び第２のリザーバを含む。第１のリザーバは、第１の組成物を収容し、第２のリザーバは、第２の組成物を収容し、第２の組成物は少なくとも部分的に透明である。第１のリザーバは、第１の出口オリフィスを含む第１の流体チャネルと流体連通している。第２のリザーバは、第２の出口オリフィスを含む第２の流体チャネルと流体連通している。第２の出口オリフィスは、第１の出口オリフィスの周縁部を少なくとも部分的に取り囲む。
【０００９】
本明細書に記載される１つの利点は、２つの相の間で非相溶性成分を分離することである。ある例では、ナイアシンアミドなどのスキンケア活性物質を含む第１の組成物であって、第１の組成物は、相対的に中性のｐＨである、第１の組成物。中性のｐＨは、活性物質の貯蔵安定性に役立つ。第２の組成物は、相対的に酸性のｐＨである。第１及び第２の組成物が分配されると、その後、２つの組成物が混合され、結果として、全体的なｐＨが低下し、その結果、皮膚内及び皮膚上でのナイアシンアミドの有効性を改善するｐＨを提供する。
【００１０】
本明細書は、本発明を特定して指摘し、かつ明確に特許請求する特許請求の範囲をもって結論とするが、本発明は以下の説明によってより深く理解されると考えられる。
【図面の簡単な説明】
【００１１】
本明細書は、本発明を特定して定義し、かつ明確に特許請求する特許請求の範囲をもって結論とするが、本発明は、添付図面の以下の説明からより深く理解されると考えられる。添付の図面において、
【図１Ａ】分離状被分配製品の様々な例の上面図である。
【図１Ｂ】分離状被分配製品の様々な例の上面図である。
【図１Ｃ】分離状被分配製品の様々な例の上面図である。
【図１Ｄ】分離状被分配製品の様々な例の上面図である。
【図１Ｅ】分離状被分配製品の様々な例の上面図である。
【図１Ｆ】分離状被分配製品の様々な例の上面図である（１Ｆは比較例である）。
【図２Ａ】分離状被分配製品の様々な例の側面図である。
【図２Ｂ】分離状被分配製品の様々な例の側面図である。
【図２Ｃ】分離状被分配製品の様々な例の側面図である。
【図２Ｄ】分離状被分配製品の様々な例の側面図である。
【図２Ｅ】分離状被分配製品の様々な例の側面図である。
【図２Ｆ】分離状被分配製品の様々な例の側面図である。
【図３】被分配製品の中心軸と第１の部分の中心軸との間の距離を測定する上面図である。
【図４】分離状被分配製品を分配することができるノズルを備えるディスペンサの正面図である。
【図５Ａ】図４のディスペンサと共に使用され得るノズルの例の断面図である。
【図５Ｂ】図４のディスペンサと共に使用され得るノズルの例の断面図である。
【図５Ｃ】図４のディスペンサと共に使用され得るノズルの例の断面図である。
【図５Ｄ】図４のディスペンサと共に使用され得るノズルの例の断面図である。
【図６】第２のオリフィスが第１のオリフィスを取り囲んでいる割合を示すノズルの断面図である。
【図７Ａ】比較例Ｉの配合及びデータの表１である。
【図７Ｂ】比較例Ｉの配合及びデータの表１である。
【図７Ｃ】比較例Ｉの配合及びデータの表１である。
【図７Ｄ】比較例Ｉの配合及びデータの表１である。
【図７Ｅ】比較例Ｉの配合及びデータの表１である。
【図８Ａ】本発明の実施例ＩＩ及びＩＩの配合及びデータの表２である。
【図８Ｂ】本発明の実施例ＩＩ及びＩＩの配合及びデータの表２である。
【図８Ｃ】本発明の実施例ＩＩ及びＩＩの配合及びデータの表２である。
【図８Ｄ】本発明の実施例ＩＩ及びＩＩの配合及びデータの表２である。
【図８Ｅ】本発明の実施例ＩＩ及びＩＩの配合及びデータの表２である。
【図９Ａ】本発明の実施例ＩＶ及びＶの配合及びデータの表３である。
【図９Ｂ】本発明の実施例ＩＶ及びＶの配合及びデータの表３である。
【図９Ｃ】本発明の実施例ＩＶ及びＶの配合及びデータの表３である。
【図９Ｄ】本発明の実施例ＩＶ及びＶの配合及びデータの表３である。
【図９Ｅ】本発明の実施例ＩＶ及びＶの配合及びデータの表３である。
【図１０Ａ】消費者選好調査からのサンプルを示す図であり、図１０Ａは本発明である。
【図１０Ｂ】消費者選好調査からのサンプルを示す図であり、図１０Ｂは比較例である。
【図１１】第２の部分が図１０Ｂの比較用サンプルの第１の部分の最大周縁部を取り囲む割合を示す図である。
【図１２】図１０Ｂの比較用サンプルを製造するために使用される並列型ノズルの断面図である。
【図１３Ａ】第２の部分が第１の部分の最大周縁部を取り囲む割合について評価された分離状被分配製品の図である。
【図１３Ｂ】第２の部分が第１の部分の最大周縁部を取り囲む割合について評価された分離状被分配製品の図である。
【図１４】図１３Ｂの分離状被分配製品の割合を算出する方法を示す図である。
【発明を実施するための形態】
【００１２】
定義
全ての百分率、部及び比率は、別途指定されない限り、本発明の組成物の総重量に基づく。列挙されている成分に関するとき、こうした重量は全て、活性レベルに基づき、このため、特に指定されない限り、市販の材料に含まれている可能性のある溶媒又は副生成物を含まない。「重量パーセント」という用語は、本明細書では「重量％」として表示される場合がある。本明細書で使用するとき、全ての分子量は、別途記載のない限り、グラム／モルとして表される重量平均分子量である。
【００１３】
本明細書で使用するとき、「ａ」及び「ａｎ」などの冠詞は、特許請求の範囲において使用されるときは、特許請求されている又は記載されるもののうちの１つ以上を意味するものと理解される。
【００１４】
本明細書で使用するとき、用語「含む（comprise、comprises、comprising）」、「包含する（Include、Includes、Including）」、「含有する（contain、contains、containing）」は、非限定的である、即ち、最終結果に影響を及ぼすことのない他の工程及び他のセクションを加えることができることを意図している。上記用語には、「からなる」及び「から本質的になる」という用語が包含される。
【００１５】
本明細書で使用するとき、単語「好ましい」、「好ましくは」、及びその変形は、一定の条件下において一定の利益をもたらす本発明の実施形態に関する。しかしながら、同じ、又は他の状況下においては、他の実施形態が好ましい場合もある。更に、１つ以上の好ましい実施形態の詳細説明は、他の実施形態が有用でないことを示すものではなく、本発明の範囲から他の実施形態を排除することを意図するものでもない。
【００１６】
本明細書で使用するとき、「口腔ケア」とは、通常の使用過程において、特定の治療剤を全身投与する目的で意図的に嚥下されるものではなく、むしろ、歯の表面又は口腔組織と接触させるように十分な時間にわたって口腔内に保持される組成物を意味する。
【００１７】
本明細書で使用するとき、「パーソナルケア」は、哺乳動物の角質組織（例えば、皮膚、毛髪、指爪）の状態を調節するための局所組成物を意味する。
【００１８】
本明細書で使用するとき、「スキンケア」は、皮膚の状態を調節すること及び／又は改善することを意味する。いくつかの非限定的な例としては、より滑らかで、より均一な外観及び／又は感触を提供することによって皮膚の外観及び／又は感触を改善すること、皮膚の１つ以上の層の厚さを増加させること；皮膚の弾性又は弾力性を改善すること；皮膚のハリを改善すること；並びに皮膚の脂っぽい、てかてかした、及び／若しくはくすんだ外観を低減し、皮膚の水和状態若しくは保湿を改善し、小皺及び／若しくは皺の外観を改善し、皮膚剥脱若しくは落屑を改善し、皮膚を膨化させ、皮膚バリア特性を改善し、皮膚の色合いを改善し、赤み若しくは皮膚のしみの外観を低減させ、かつ／又は皮膚の明るさ、つや、若しくは透明感を改善することが挙げられる。
【００１９】
本明細書で使用するとき、「スキンケア活性物質」は、皮膚に塗布すると、皮膚又は皮膚の中に通常見られる細胞の一種に急性効果及び／又は慢性効果をもたらす化合物又は化合物の組み合わせを意味する。スキンケア活性物質は、肌又はそれに関連する細胞を調節及び／又は改善する（例えば、肌の弾性、肌水分量、肌のバリア機能、及び／又は細胞代謝を改善する）ことができる。
【００２０】
分離状被分配製品
本発明の一態様は、分離状被分配製品（又は「分離状被分配製品」と互換的に本明細書において使用される、単に「被分配製品」）を提供する。分離状被分配製品は、第１の部分と、第１の部分を少なくとも部分的に取り囲む第２の部分と、を含む。被分配製品は、美容ケア製品カテゴリ、身だしなみ製品カテゴリ、パーソナルクレンジング製品カテゴリ、布地ケア製品カテゴリ、ホームケア製品カテゴリ、スキンケア製品カテゴリ、口腔ケア製品カテゴリ、食器ケア製品カテゴリ、ヘルスケア製品カテゴリ、ベビーケア製品カテゴリ、女性用ケア製品カテゴリ、及びヘアケア製品カテゴリに適用可能であるが、これらに限定されない。好ましくは、被分配製品は、それぞれの製品カテゴリに利益を提供する１種以上の活性物質を含む。例えば、被分配布地ケア製品は、布地ケア活性物質を含み得る。このような活性物質は、布地洗浄用の界面活性剤を含んでもよい。別の例では、被分配ヘアケア製品は、ヘアケア活性物質を含んでもよい。このような活性物質は、ヘアコンディショニング活性物質を含んでもよい。更に別の例は、スキンケア活性物質を含む被分配スキンケア製品を含んでもよい。更に別の例では、被分配製品は、スキンケア保湿クリームのようなリーブオン製品として、又は洗顔料若しくはシャンプーのようなリンスオフ製品として配合されてもよく、あるいはヘアコンディショナー若しくはスキンマスクのようなリーブオン及びリンスオフの組み合わせとして配合されてもよい。
【００２１】
被分配製品は、第１の部分を少なくとも部分的に取り囲む第２の部分を含む。好ましくは、第２の部分は、第１の部分の最大周縁部の少なくとも５０％より多くを取り囲み、最大周縁部は、第１の部分の最大断面積の周囲に画定された周縁部であり、最大断面積は、被分配製品の平面状接触面と平行な平面内か、又は平面状接触面と同一平面内のいずれか一方に存在する。次に、被分配製品の平面状接触表面積は、平面状標的表面に接触する部分である。例えば、スキンケア用途のために製造される場合、分離状被分配製品は、スキンケア活性物質を含むことができ、平面状標的表面は、ヒトの手のひら、手のひらの裏側、指又は親指のうちの一方、手首、前腕、前腕の裏側、顔の皮膚などのうちの１つ以上であり得る。分析試験のために、例えば、平面状のＬｅｎｔａカードが、平面状標的表面として機能してもよい。より好ましくは、第２の部分は、第１の部分の最大周縁部の５５％〜１００％、更により好ましくは６０％〜１００％、なお更により好ましくは７０％〜１００％を取り囲む。あるいは、第２の部分は、第１の部分の最大周縁部の６０％〜９５％、又は７０％〜８０％、又は５１％〜６５％、又は８５％〜１００％、又は９０％〜９８％を取り囲む。非限定的な百分率の例としては、５５％、６０％、６５％、７０％、７５％、８０％、９０％、９５％、９８％、９９％、又は１００％が挙げられる。これらの百分率はまた、第２の部分が第３の部分及びそれ以降の部分を少なくとも部分的に取り囲む例にも概ね適用可能であり得る。第１の部分を取り囲む第２の部分の割合を評価する１つの方法は、以下の実施例のセクションに記載されている。
【００２２】
図１Ａ〜図１Ｅは、分離状被分配製品（それぞれ１、２０１、３０１、４０１、５０１）の様々な例の上面概略図である。図１Ａ〜図１Ｅでは、第２の部分（３、２０３、３０３、４０３、５０３）は、第１の部分（それぞれ５、２０５、３０５、４０５、５０５、６０５）の最大周縁部の少なくとも５０％より多くを取り囲んでいる。図１Ａ〜図１Ｅに示すように、第１の部分のサイズ及び場所は、（第２の部分に対して）多様であってもよい。図１Ｆは、分離状被分配製品（６０１）の比較例の上面概略図である。第２の部分（６０３）及び第１の部分（６０５）は、古典的な並列型ディスペンサから分配されるように本質的に互いに隣り合っている。
【００２３】
分離状被分配製品の全体形状
好ましくは、被分配製品は、略半球形状、好ましくは圧縮された略半球形状を含む。ある例では、第１の部分は、概ね略球形状、好ましくは、概ね細長い略球形状を含む。別の例では、第１の部分（又は第３の部分及びそれ以降の部分）は、少なくとも部分的に、好ましくは第２の部分の中で完全に浮いている。
【００２４】
分離状被分配製品の寸法
被分配製品の全体寸法、体積、及び質量は、製品カテゴリ及び提供される利益に依拠することとなる。明確さのために、以下は、リーブオンスキンケア用途のための被分配製品の例の全体寸法、体積、及び質量の説明である。しかしながら、当業者であれば、用途及び被分配製品によって提供される利益に応じて、被分配製品を適切により大きく又はより小さくすることができる。好ましくは、スキンケア用途では、被分配製品の長さは、０．５ｃｍ〜２．５ｃｍ、好ましくは１ｃｍ〜２ｃｍであり、長さは、被分配製品の平面状接触面に沿って測定される最長寸法である。長さの非限定的な例としては、０．７５ｃｍ、１．５ｃｍ、又は２ｃｍが挙げられる。平面状接触面という用語は、被分配製品が平面状標的表面と接触する部分である。ある例では、平面状標的表面は、分離状被分配製品の塗布の処理を必要とする表面である。ほとんどの技術的評価のために、平坦なＬｅｎｅｔａカード（Ｏｐａｃｉｔｙ  Ｃａｒｄ  Ｆｏｒｍ  ２Ａ，Ｌｅｎｅｔａ  Ｃｏｍｐａｎｙ，Ｉｎｃ（Ｍａｈｗａｈ，ＮＪ，ＵＳＡ）、以下、「Ｌｅｎｅｔａカード」又は等価物と称する）を平面状標的表面として使用してもよい。好ましくは、被分配製品は、０．２ｃｍ〜２ｃｍ、好ましくは０．５ｃｍ〜１ｃｍの高さを含み、高さは、被分配製品の平面状接触面に直交する平面で測定される。高さの非限定的な例としては、０．３ｃｍ、０．５ｃｍ、又は０．７ｃｍが挙げられる。好ましくは、被分配製品は、幅０．５ｃｍ〜２．５ｃｍ、好ましくは幅１ｃｍ〜２ｃｍを含み、幅は、長さに対して９０度で測定される。幅の非限定的な例としては、０．８ｃｍ、１．５ｃｍ、又は１．７ｃｍが挙げられる。好ましくは、被分配製品は、４：１〜１：１、好ましくは３：１〜１：１、より好ましくは２：１〜１：１の長さと幅の比を有する。好ましくは、被分配製品は、５：１〜１：２、好ましくは３．７５：１〜０．９：１、より好ましくは３：１〜０．９：１の長さと高さの比を有する。
【００２５】
図２Ａ〜図２Ｆは、分離状被分配製品（それぞれ１１、２１１、３１１、４１１、５１１、６１１）の様々な例の側面概略図である。図２Ａ〜図２Ｆでは、第２の部分（それぞれ１３、２１３、３１３、４１３、５１３、６１３）は、第１の部分（１５、２１５、３１５、４１５、５１５、６１５）の最大周縁部の少なくとも５０％より多くを取り囲んでいる。これらの図に示されるように、第１の部分のサイズ及び場所は、（第２の部分に対して）多様であってもよい。図２Ｅは、比較的大きい高さに対する長さの比を有する被分配製品（５１１）の一例であり、図２Ｆは、比較的小さい高さに対する長さの比を有する被分配製品（６１１）である。
【００２６】
第１の部分の寸法について説明する。第１の部分の長さは、０．１ｃｍ〜２ｃｍ、好ましくは０．２ｃｍ〜１ｃｍである。この長さの非限定的な例は、０．１、０．２、０．５又は０．７ｃｍである。第１の部分の長さは、第１の部分の最大断面積の最長寸法として測定され、最大断面積は、被分配製品の平面状接触面と平行な平面内か、又は平面状接触面と同一平面内のいずれか一方に存在する。好ましくは、第１の部分の高さは、０．１ｃｍ〜１．２５ｃｍ、好ましくは０．２ｃｍ〜１ｃｍであり、第１の部分の高さは、被分配製品の平面状接触面に直交する平面において測定される。この高さの非限定的な例は、０．１、０．２、０．５又は０．７ｃｍである。好ましくは、第１の部分の幅は、０．１ｃｍ〜１．２５ｃｍ、好ましくは０．２ｃｍ〜１ｃｍであり、第１の部分の幅は、第１の部分の長さ及び第１の部分の最大断面積の長さに対して９０度で測定される。この幅の非限定的な例は、０．１、０．２、０．５、又は０．７ｃｍである。
【００２７】
図３は、分離状被分配製品（２１）の上面概略図であり、被分配製品の中心軸（２９）と第１の部分の中心軸（２８）との間の距離「Ｄ」（２７）は、分離状被分配製品の長さの５０％未満である（「長さ」は上記で定義されている）。第２の部分（２５）は、第１の部分（２３）の最大周縁部の少なくとも５０％より多くを取り囲んでいる。被分配製品の中心軸が定義される。被分配製品は、被分配製品の平面状接触面に被分配製品の重心を含む。被分配製品の中心軸は、被分配製品の重心を通って延在し、被分配ケア製品の平面状接触面に直交する。第１の部分の中心軸が定義される。第１の部分は、第１の部分の最大断面積上の第１の部分の重心及び第１の部分の中心軸を含む。最大断面積は、被分配製品の平面状接触面と平行な平面内か、又は平面状接触面と同一平面内のいずれか一方に存在する。第１の部分の中心軸は、第１の部分の重心を通って延在し、被分配製品の平面状接触面に直交する。好ましくは、被分配製品の中心軸と第１の部分の中心軸との間の距離は、分離状被分配製品の長さの４０％未満から、好ましくは長さの３０％未満、より好ましくは長さの１５％未満である。非限定的な例は、長さの４０％未満、３０％未満又は１５％未満である。
【００２８】
分離状被分配製品の体積及び質量、並びに第１及び第２の部分について説明する。第１の部分と第２の部分の体積比は、１：１０〜２：１、好ましくは１：５〜１：１、より好ましくは１：４〜１：２、更により好ましくは１：３である。好ましくは、第１の部分及び第２の部分の体積は、それぞれ独立して、０．０５ｍＬ〜１．５ｍＬ、より好ましくは０．０７５ｍＬ〜１．０ｍＬ、更により好ましくは０．１ｍＬ〜０．５ｍＬから選択される。この体積の非限定的な例は、０．０８ｍＬ、０．１ｍＬ、０．１５ｍＬ、０．２ｍＬである。好ましくは、被分配製品の総体積は、０．１ｍＬ〜３ｍＬ、より好ましくは０．１５ｍＬ〜２ｍＬ、更により好ましくは０．２ｍＬ〜１ｍＬである。この総体積の非限定的な例は、０．１ｍＬ、０．２ｍＬ、０．３ｍＬ、０．４ｍＬ、０．５ｍＬ、１．５ｍＬ、２ｍＬ、又は２．５ｍＬである。第１の部分と第２の部分の質量比は、１：１０〜２：１、好ましくは１：５〜１：１、より好ましくは１：４〜１：２、更により好ましくは１：３である。好ましくは、第１の部分及び第２の部分の質量は、それぞれ独立して、０．０５ｇ〜１．５ｇ、より好ましくは０．０７５ｇ〜１ｇ、更により好ましくは０．１ｇ〜０．５ｇから選択される。この質量の非限定的な例は、０．０８ｇ、０．１ｇ、０．１５ｇ、０．２ｇ、又は０．３ｇである。好ましくは、被分配製品の総質量は、０．１ｇ〜３ｇ、より好ましくは０．１５ｇ〜２ｇ、更により好ましくは０．２ｇ〜１ｇである。この総質量の非限定的な例は、０．１ｇ、０．２ｇ、０．３ｇ、０．４ｇ、０．５ｇ、０．７ｇ、１ｇ、１．５ｇ、１．７ｇ、又は１．９ｇである。
【００２９】
ある例では、分離状被分配製品はシャンプーであり、合計質量は３ｇ〜１５ｇ、好ましくは９ｇ〜１３ｇである。別の例では、分離状被分配製品は、スキンケアマスクであり、総質量は５ｇ〜１５ｇ、好ましくは８ｇ〜１２ｇである。別の例では、分離状被分配製品は、口腔ケア製品であり、総質量は１ｇ〜３ｇであり、好ましくは、口腔ケア製品は歯磨剤である。
【００３０】
成分
第１及び第２の組成物の配合成分について説明する。例の多くは、スキンケア用途に関するものである。しかしながら、当業者は、製品が重点を置く分野に応じて、第１及び第２の組成物を適切に配合してもよい。これらの成分としては、構造化剤、ゲルネットワーク、着色剤、乳白剤、及び好ましい活性物質が挙げられる。用語「第１の組成物」及び「第２の組成物」が使用されているが、用語「第１の部分」及び「第２の部分」がそれぞれ互換可能である。
【００３１】
構造化剤
本発明の第１及び第２の組成物は、粘度を高める、濃化する、凝固するために、又は組成物に固体構造若しくは結晶構造をもたらすために使用され得る構造化剤を含んでもよい。構造化剤は典型的には、溶解性、分散性、又は相適合性に基づきグループ化される。水性構造化剤又は水構造化剤の例としては、高分子剤、天然又は合成ゴム、多糖類等が挙げられる。好適な部類の構造化剤としては、カルボン酸ポリマー、ポリアクリルアミドポリマー、スルホン化ポリマー、これらのコポリマー、これらの疎水変性誘導体、ゴム、セルロース、超吸収性ポリマー、及びこれらの混合物が挙げられるが、これらに限定されない。例えば、各組成物は、それぞれの組成物の重量に対し、０．０００１％、０．００１％、０．０１％、０．０５％、０．１％、０．５％、１％、２％、３％、５％〜２５％、２０％、１０％、７％、５％、４％、又は２％の１種以上の構造化剤を含んでもよい。好適な多糖類としては、ヒドロキシプロピルメチルセルロースステアロキシエーテルなどのアルキルヒドロキシアルキルセルロースエーテルが挙げられる。この材料は、Ｄａｉｄｏ  Ｃｈｅｍｉｃａｌ  Ｃｏｒｐ製の商標名Ｓａｎｇｅｌｏｓｅ  ６０Ｌ及びＳａｎｇｅｌｏｓｅ  ９０Ｌで販売されている。好適なポリマーとしては、例えば、Ｓｅｐｐｉｃ製の商標名Ｓｅｐｉｍａｘ  Ｚｅｎで販売されている、ポリアクリレート６クロスポリマーなどの架橋ポリアクリレートが挙げられる。別のポリマーとしては、モノマーが、例えば、Ｃｌａｒｉａｎｔ製の商標名Ａｒｉｓｔｏｆｌｅｘ  Ｓｉｌｋで販売されている、例えば、ポリアクリロイルジメチルタウリンナトリウムなどのアクリロイルジメチルタウレートモノマーから少なくとも部分になる架橋ポリマーが挙げられる。
【００３２】
用語「超吸収性ポリマー」は、乾燥状態において、自重の少なくとも２０倍の水性流体、具体的には水、特に蒸留水を自発的に吸収することができるポリマーを意味すると理解される。
【００３３】
油性構造化剤の例としては、シリコーン及び有機系材料が挙げられる。油性構造化剤の好適な範囲は、０．０１％、０．０５％、０．１％、０．５％、１％、２．５％、５％、又は１０％〜３０％、２５％、２０％、１５％、１０％、又は５％である。好適な油相構造化剤は、シリコーンエラストマー、シリコーンガム、シリコーンワックス、シリコーンの油相の粘度を増加させる重合度を有する直鎖状シリコーンなどのシリコーン系であってもよい。シリコーン構造化剤の例としては、シリコーンエラストマー、シリコーンガム、及びシリコーンワックスが挙げられるがこれらに限定されない。
【００３４】
いくつかの例では、第１の組成物又は第２の組成物はそれぞれ、比較的高い度合の水を有してもよい。このような例では、第２の組成物は、第２の組成物の重量に対して、少なくとも６０％、好ましくは７０％〜９０％、より好ましくは７５％〜８５％の水を含んでもよい。別の例では、第１の組成物は、第２の組成物の重量に対して、少なくとも６０％、好ましくは７０％〜９０％、より好ましくは７５％〜８５％の水を含んでもよい。更に別の例では、第１及び第２の組成物の両方がこのような比較的高い度合の水を有する。
【００３５】
構造化剤の更なる詳細は、米国特許第９，２７１，９１２（Ｂ２）号において、コラム４７、２８行〜コラム５１、４９行に記載されている。
【００３６】
ゲルネットワーク
本明細書における組成物は、それぞれ独立してゲルネットワークを含んでもよい。「ゲルネットワーク」は、疎水性構造化剤及び非イオン性親水性界面活性剤から構成される。これらの個々の成分の好ましい濃度は以下に指定されるが、組成物の総ゲルネットワーク部分は、その個々の成分とは別に制限される。好ましい組成物は、それぞれの組成物の重量に対して、１％〜２０％、より好ましくは１％〜１０％、最も好ましくは２％〜９％の合計１種以上の構造化剤及び非イオン性親水性界面活性剤を含む。
【００３７】
好ましくは、各組成物は、飽和Ｃ１６〜Ｃ３０脂肪族アルコール、約１〜約５モルのエチレンオキシドを含有する飽和Ｃ１６〜Ｃ３０脂肪族アルコール、飽和Ｃ１６〜Ｃ３０ジオール、飽和Ｃ１６〜Ｃ３０モノグリセロールエーテル、飽和Ｃ１６〜Ｃ３０ヒドロキシ脂肪酸、及びこれらの混合物からなる群から選択される、１０重量パーセント以下、より好ましくは５重量パーセント以下の、疎水性構造化剤を含み、疎水性構造化剤は、少なくとも約４０℃の融点を有する。好ましくは、各組成物は、飽和Ｃ１６〜Ｃ３０脂肪族アルコール、約１〜約５モルのエチレンオキシドを含有する飽和Ｃ１６〜Ｃ３０脂肪族アルコール、飽和Ｃ１６〜Ｃ３０ジオール、飽和Ｃ１６〜Ｃ３０モノグリセロールエーテル、飽和Ｃ１６〜Ｃ３０ヒドロキシ脂肪酸、及びこれらの混合物からなる群から選択される、少なくとも０．５重量％、より好ましくは少なくとも１重量％、更により好ましくは少なくとも２重量％、なおより好ましくは少なくとも３重量％の、疎水性構造化剤を含み、疎水性構造化剤は、少なくとも約４０℃の融点を有する。理論に束縛されるものではないが、これらの構造化剤は、本発明の組成物の加水分解安定性に寄与する組成物のレオロジー特性の形成を補助するのに有用であると考えられる。特に、構造化剤は、液晶ゲルネットワーク構造の形成を補助する。
【００３８】
本発明の好ましい構造化剤は、ステアリルアルコール、セチルアルコール、ベヘニルアルコール、ステアリン酸、パルミチン酸、平均１〜５個のエチレンオキシド単位を有するステアリルアルコールのポリエチレングリコールエーテル、平均１〜５個のエチレンオキシド単位を有するセチルアルコールのポリエチレングリコールエーテル、及びこれらの混合物からなる群から選択される。本発明のより好ましい構造化剤は、ステアリルアルコール、セチルアルコール、ベヘニルアルコール、平均約２個のエチレンオキシド単位を有するステアリルアルコールのポリエチレングリコールエーテル（ステアレス−２）、平均約２個のエチレンオキシド単位を有するセチルアルコールのポリエチレングリコールエーテル、及びこれらの混合物から選択される。更により好ましい構造化剤は、ステアリルアルコール、セチルアルコール、ベヘニルアルコール、ステアレス−２、及びこれらの混合物からなる群から選択される。
【００３９】
親水性界面活性剤について説明する。本発明の組成物は、２重量％以下、好ましくは１重量％以下、より好ましくは０．５％以下の少なくとも１種の親水性界面活性剤を含む。理論に束縛されるものではないが、親水性界面活性剤は、水相中に疎水性材料、即ち、構造化剤を分散させると考えられる。界面活性剤は、少なくとも、水に分散するのに十分に親水性でなければならない。
【００４０】
選択される正しい界面活性剤は、組成物のｐＨ及び存在する他の成分に依拠することとなる。本明細書で使用するのに好ましい界面活性剤は、非イオン性界面活性剤である。本明細書で有用な非イオン性界面活性剤には、長鎖アルコール、例えば、Ｃ８〜Ｃ３０アルコールと、糖又はデンプンポリマーとの縮合生成物、即ち、グルコシドとして広く定義され得るものがある。これらの界面活性剤の市販の例としては、デシルポリグルコシド（ＨｅｎｋｅｌからＡＰＧ  ３２５  ＣＳとして入手可能）及びラウリルポリグルコシド（ＨｅｎｋｅｌからＡＰＧ  ６００  ＣＳ及び６２５  ＣＳ）として入手可能）が挙げられる。他の有用な非イオン性界面活性剤としては、ソルビトールと脂肪酸との縮合生成物が挙げられ得る。非限定的な例としては、Ｔｗｅｅｎ、Ｓｐａｎ、及びポリソルベートが挙げられる。他の有用な非イオン性界面活性剤としては、アルキレンオキシドと脂肪酸との縮合生成物（即ち、脂肪酸のアルキレンオキシドエステル）、アルキレンオキシドと２モルの脂肪酸との縮合生成物（即ち、脂肪酸のアルキレンオキシドジエステル）、アルキレンオキシドと脂肪族アルコールとの縮合生成物（即ち、脂肪族アルコールのアルキレンオキシドエーテル）、アルキレンオキシドと脂肪酸及び脂肪族アルコール両方の縮合生成物［即ち、ポリアルキレンオキシド部分は、その一端で脂肪酸でエステル化され、もう一方の端で脂肪族アルコールでエーテル化（即ちエーテル結合を介して結合）される］、及びポリヒドロキシ脂肪酸アミド界面活性剤が挙げられ得る。他の非イオン性界面活性剤の非限定的な例としては、ステアレス−２１、セテアレス−２０、セテアレス−１２、Ｔｗｅｅｎ−６０、Ｔｗｅｅｎ−８０、ヤシ脂肪酸スクロース、ステアレス−１００、ＰＥＧ−１００ステアレート、ＰＥＧ−１０００ステアレート及びこれらの混合物を挙げることができる。
【００４１】
ある例では、第１の組成物及び第２の組成物はそれぞれ独立して、構造化剤、ゲルネットワーク、及びこれらの組み合わせを含み、好ましくは構造化剤を含み、より好ましくは、第１及び第２の組成物はそれぞれ構造化剤を含む。好ましくは、構造化剤は、アルキルヒドロキシアルキルセルロースエーテル、架橋ポリアクリレート、モノマーとしてアクリロイルジメチルタウレートを含む架橋ポリマー、及びこれらの組み合わせから選択される。
【００４２】
視覚的に区別可能な部分
好ましくは、第１及び第２の組成物は、互いに視覚的に区別可能なそれぞれの第１及び第２の部分を提供する。着色剤及び乳白剤の使用は、この効果を提供するように説明される。好ましくは、少なくとも第１の組成物は、そのような着色剤又は乳白剤を含む（より好ましくは、第２の組成物は、少なくとも部分的に透明であり、更により好ましくは透明である）。ある例では、第２の組成物は、着色剤及び乳白剤を含まない。
【００４３】
色及び不透明度は、１種以上の不透明化粒子材料及び／又は１種以上の着色剤によって提供されてもよい。例示的な不透明化粒子材料としては、二酸化チタン、酸化亜鉛、二酸化ジルコニウムなどが挙げられる。二酸化チタンは、特に好適な不透明化粒子材料である。
【００４４】
好適な着色剤の非限定的な部類としては、有機及び／又は無機顔料、雲母、真珠光沢剤干渉顔料、天然及び／又は合成染料（例えば、水溶性、非可溶性、油溶性を含む）、カルミン、天然着色剤、ＦＤ＆Ｃレーキ及び／又はＤ＆Ｃレーキ並びにブレンドを含むレーキ、並びにこれらのいずれかの組み合わせが挙げられるが、これらに限定されない。
【００４５】
好適な着色剤の更なる非限定的な例としては、酸化鉄、フェロシアン化第二鉄アンモニウム、マンガンバイオレット、ウルトラマリンブルー、並びに酸化クロム、フタロシアニンブルー及びグリーン顔料、カプセル化染料、並びにこれらの混合物が挙げられる。好ましい染料としては、赤色４０号及び３３号、並びに黄色５号が挙げられる。雲母の存在もまた好ましい。
【００４６】
スキンケア製品
好ましい例では、分離状被分配製品は、被分配スキンケア製品である。したがって、本明細書における第１又は第２の組成物は、研磨剤、吸収剤、芳香剤、抗にきび剤、抗ケーキング剤、消泡剤、抗菌剤、抗真菌剤、抗酸化剤、結合剤、緩衝剤、嵩高剤、キレート剤、着色剤、化粧料収れん剤、化粧品殺生物剤、変性剤、薬物収れん剤、外用鎮痛剤、被膜形成剤、乳白剤、ｐＨ調整剤、植物誘導体、植物エキス、植物組織抽出物、植物種子抽出物、植物油、植物、植物抽出物、防腐剤、噴射剤、還元剤、皮脂制御剤、封鎖剤、皮膚漂白剤、皮膚コンディショニング剤（例えば、保湿剤及び閉塞剤）、及び皮膚保護剤を含むこれらの機能性部類からの成分のうちの１種以上を含み得る。特に好ましいスキンケア活性物質としては、ビタミンＢ３化合物（例えば、ナイアシンアミド）及びガラクトミセス発酵濾液（ＩＮＣＩ：ガラクトミセス培養液、例えば、ＰＩＴＥＲＡ（登録商標）が挙げられる。Ｋａｓｈｉｗａｙａｍａから入手可能なＳＫ−ＩＩＰｉｔｅｒａ。スキンケア活性物質は、米国特許出願公開第２０１６／０３７４９３３（Ａ１）号段落８１〜１０４に記載されている。例えば、各組成物は、それぞれの組成物の重量に対し、０．０００１％、０．００１％、０．０１％、０．０５％、０．１％、０．５％、１％、２％、３％、５％、５０％、８０％、９５％〜５０％、２５％、２０％、１０％、７％、５％、４％、又は２％の１種以上の成分を独立して含んでもよい。
【００４７】
非相溶性成分
例は、安定性に役立つように、非相溶性成分を、それぞれの第１及び第２の組成物に分離することを含んでもよいが、投与時に組み合わされて、利益がもたらされる。一般に、これらの反応は、メイラード反応、酸化還元反応、塩及びポリマー反応からの不要な粘度の変化、触媒、ｐＨ依存性活性物質、吸熱反応、発熱反応、親水性相対親水性相の相互作用、色シフトなどに関わる反応物質を分離することを含んでもよい。非相溶性成分を分離する好ましい例としては、より低いｐＨ条件から特定のビタミン及びプロビタミン（例えば、ナイアシンアミド）を分離して、劣化を止めさせることを含む。したがって、一方の組成物は、比較的中性のｐＨ下でビタミン／プロビタミンを含む一方で、他方の組成物は比較的低いｐＨである。これは、ビタミン／プロビタミンの貯蔵安定性に役立つこととなる。組成物を投与して分離状被分配組成物を形成すると、ビタミン／プロビタミンは、低めのｐＨの組成物と相互作用することができる。例えば、ナイアシンアミドの技術的な恩恵は、低めのｐＨで送達されると劇的に増加することが報告されている。ある例では、一方の組成物は、ｐＨ５以下である一方、他方の組成物はｐＨ５を超える。好ましくは、一方の組成物は、２．５〜５、又は３〜４のｐＨを有する一方、他方の組成物は、５より大きく８以下、又は５．５〜７のｐＨを有する。別の例では、２つの組成物のｐＨの差は、少なくとも１ｐＨ値、又は少なくとも２ｐＨ値、又は少なくとも３ｐＨ値である。
【００４８】
ある例では、分離状被分配製品は、（ｉ）第１の部分がビタミン又はプロビタミンを含み、第２の部分が第１の組成物よりも低いｐＨを含むか、あるいは（ｉｉ）第２の部分がビタミン又はプロビタミンを含み、第１の部分が第２の部分よりも低いｐＨを含むかのいずれか一方である。好ましくは、ビタミン又はプロビタミンはナイアシンアミドを含む。より好ましくはビタミン又はプロビタミンを含む第１又は第２の部分は、５より大きいｐＨ、好ましくは５より大きく８以下のｐＨを含む。更により好ましくは、それぞれ第１及び第２の部分よりも低いｐＨを含む第２の部分又は第１の部分は、５以下のｐＨ、好ましくは２．５〜５のｐＨを含む。
【００４９】
スキンケア製剤を製造する当業者は、第１及び第２の組成物の所望のｐＨを達成するために、好適なｐＨ調整剤が使用され得ることを理解するであろう。例えば、ｐＨを低下させる（即ち、組成物をより酸性にする）ために、ヒドロキシ酸、クエン酸、乳酸、リンゴ酸、β−ヒドロ酸、サリチル酸、ラクトビオン酸、グルコン酸、アセチル及び無機酸などの酸性ｐＨ調整剤を使用してもよい。好ましい酸性ｐＨ調整剤としては、乳酸、グルコン酸、又はこれらの組み合わせが挙げられ得る。例えば、ｐＨを上昇させる（即ち、組成物をより塩基性にする）ために、ＴＥＡ（トリメチルアミン）、ＮａＯＨ、又はこれらの組み合わせのような塩基性ｐＨ調整剤を使用してもよい。
【００５０】
レオロジー特性
分離状被分配製品の第１の部分及び第２の部分の流動性及びクロスオーバー応力のレオロジー特性を説明する。第１の部分及び第２の部分の速度は、以下の実施例のセクションに記載されるように、分離状被分配製品流動性試験方法（「ＤＤＰＦＴＭ」）によって評価される。好ましくは、第２の製品又は第１の製品のいずれか一方のこの速度は、０ｃｍ／分〜４ｃｍ／分、好ましくは０〜３ｃｍ／分、より好ましくは０〜２．２５ｃｍ／分、更により好ましくは０〜１ｃｍ／分（ｃｍ／ｍｉｎ）である。速度の非限定的な例は、０．５、０．８、１、１．５、２、又は２．２５ｃｍ／ｍｉｎである。このような低速である第１及び第２の部分を含む分離状被分配製品の１つの利点は、被分配製品が分配された後に、その分配された形状を実質的に保持するのに役立つことである。ある例では、第２の部分と第１の部分との間の速度比は、４：１〜１：４、好ましくは３：１〜１：３、より好ましくは２：１：〜１：２である。この速度比の非限定的な例としては、３：１、２：１、１：１、又は２：１が挙げられる。
【００５１】
クロスオーバー応力について説明する。分離状被分配製品のそれぞれの部分（第１の部分又は第２の部分）は、以下の実施例のセクションに記載されるように、部分振動レオメトリー試験方法（「ＰＯＲＴＭ」）によって評価されるクロスオーバー応力を含む。好ましくは、第２の部分は、１０パスカル（Ｐａ）以上、好ましくは１０Ｐａ〜１２０Ｐａ、より好ましくは１０〜８０Ｐａ、更により好ましくは１５〜５０Ｐａのクロスオーバー応力を含む。第２の部分のクロスオーバー応力の非限定的な例は、１５、２５、又は４０Ｐａである。好ましくは、第１の部分は、５Ｐａ以上、好ましくは５〜１２０Ｐａ、より好ましくは５〜８０Ｐａ、更により好ましくは１０〜５０Ｐａの、ＰＯＲＴＭによって評価されるクロスオーバー応力を含む。第１の部分のクロスオーバー応力の非限定的な例は、１５、２５、又は４０Ｐａである。このようなクロスオーバー応力を有する第２の部分の１つの利点は、分離状被分配製品が分配された後に、その分配された形状を実質的に保持することである。このようなクロスオーバー応力を有する第２の部分の別の利点は、第１の部分が被分配製品内で区別可能であることである。このようなクロスオーバー応力を有する第１の部分の１つの利点は、分離状被分配製品が分配された後に、その分配された形状を実質的に保持することである。
【００５２】
ある例では、第２の部分と第１の部分の間のクロスオーバー応力の比は、４：１〜１：４、好ましくは３：１〜１：３、より好ましくは２：１〜１：２である。このクロスオーバー応力の比の非限定的な例としては、１：３、１：２、１：１、又は２：１が挙げられる。第１及び第２の部分が説明されているが、本方法はまた、当然のことながら、第１及び第２の組成物にも適用されるであろう。
【００５３】
コントラスト
パーセント不透明度及びΔＥ＊値のコントラスト特性を説明する。分離状被分配製品のそれぞれの部分は、以下の実施例のセクションに記載されるように、部分不透明度試験方法（「ＰＯＴＭ」）によって評価されるパーセント不透明度を有す。好ましくは、第１の部分は、１００％〜０％、好ましくは９０％〜０％、より好ましくは６０％〜０％のパーセント不透明度を有す。第１の部分のこのパーセント不透明度の非限定的な例は、５０％、６０％、７０％、又は８０％である。好ましくは、第２の部分は、ＰＯＴＭによって評価されるパーセント不透明度を有し、０％〜９０％、好ましくは０％〜８０％、より好ましくは０％〜６０％、更により好ましくは０％〜１０％である。第２の部分のこのパーセント不透明度の非限定的な例は、５％、１０％、１５％、２０％、２５％である。記載されるパーセント不透明度値の１つの利点は、第１の部分が部分的に透明な第２の部分と視覚的に区別可能であることである。したがって、更に他とは違い、かつ高級な被分配製品の外観をもたらす。
【００５４】
ある例では、第１の部分は、第２の部分よりも高いパーセント不透明度を有し、第１の部分と第２の部分との間の差は、１５％〜１００％、好ましくは２５％〜１００％、より好ましくは５０％〜１００％である。第１の部分と第２の部分との間のこのパーセント不透明度の差の非限定的な例は、４０％、５０％、６０％、７０％、８０％、又は９０％である。第１の部分と第２の部分との間の高いパーセント不透明度の差の１つの利点は、部分間の大きなΔＥ＊がなかったとしても、それらの部分が区別可能であることである。
【００５５】
分離状被分配製品の第１の部分及び第２の部分は、以下の実施例のセクションに記載されるように、部分ΔＥ＊試験方法（「ＰＤＥＴＭ」）によって評価されるΔＥ＊値を含む。好ましくは、このΔＥ＊値は、５より大きい、好ましくは３５より大きい、より好ましくは３５〜２００、更により好ましくは３５〜１５０、なお更に好ましくは５０〜１２０である。このΔＥ＊値の非限定的な例は、３０、５０、６０、７０、８０、９０、１００、１１０である。記載されるΔＥ＊値の１つの利点は、第１の部分と第２の部分との間の顕著性を増大させることである。
【００５６】
ある例では、被分配製品の第２の部分は、少なくとも部分的に透明であり、好ましくは透明である。本明細書で使用するとき、「透明」は、認識可能な散乱を伴わずに光を透過する特性を有するので、背後に位置する物体が明瞭に見えることを意味する。好ましくは、第１の部分は、透明ではなく、好ましくは、第１の部分は、不透明であり、より好ましくは不透明であり、着色剤を有する。好ましくは、着色剤は、赤色、黄色、オレンジ色、ピンク色、又はこれらの組み合わせから選択される。この例の１つの利点は、一部の消費者にとって高級なイクラに似ていることである。
【００５７】
ディスペンサ
本発明と適合性のある分配システム、好ましくは二重分配システムの例としては、（限定するものではないが）デュアルチャンバチューブ若しくはボトル又は折り畳み式壁（デラミボトル若しくはピストンのいずれか一方）を用いる折り畳み式リザーバを有するエアレスチャンバ又は製品を引き出すために浸漬チューブを用いるチャンバ又はこれらの組み合わせが挙げられる。図４を参照すると、ディスペンサ（３１）は、第１のリザーバ（３７）及び第２のリザーバ（３９）を備える。第１のリザーバ（３７）は、第１の組成物（図示せず）を収容し、第２のリザーバ（３９）は、第２の組成物（図示せず）を収容する。好ましくは、第１及び第２の組成物は、少なくとも部分的に透明であり、より好ましくは透明である。第１のリザーバは、第１の出口オリフィスを備える第１の流体チャネルと流体連通し、第２のリザーバは、第２の出口オリフィスを備える第２の流体チャネルと流体連通している。第２の出口オリフィスは、第１の出口オリフィスの周縁部を少なくとも部分的に取り囲む。第１及び第２の出口オリフィスは、ノズル（４１）内に位置付けられている。図４を参照すると、ディスペンサ（３１）は、ノズル（４１）を介して分離状被分配製品を分配するように構成されている。様々なノズルの断面図は、（以下で更に詳細に論じられる）図５Ａ〜図５Ｄにおいて提供される。
【００５８】
第１の組成物を分配することは、第１の部分をもたらし、第２の組成物を分配することは、第２の部分をもたらす。これらの組成物は、ディスペンサから同時に、又は略同時に分配されて、分離状被分配製品をもたらす。ディスペンサは、第１のリザーバに関連付けられた第１のポンプと、第２のリザーバに関連付けられた第２のポンプと、を有してもよい。両方のポンプは、好ましくは単一の押しボタンによって一緒に作動可能である。図４を参照すると、この押しボタン（３５）の例が、ディスペンサ（３１）の上部に示されている。プッシュボタンは、作動ロッドに動作可能に接続している。ディスペンサが１回作動する手の動作で分配可能である総体積／総質量は、分離状被分配製品について前述したような総体積／総質量を含んでもよい。ポンプは、互いに対して異なる開始時間／終了時間、流量、又は押しのけ容積を有することにより、ストローク終端まで作動させたときに、それぞれの第１及び第２の組成物の異なる体積を分配するように構成されてもよい。それにもかかわらず、好ましくは、２つの作動ロッドの作動力は、実質的に同一又は完全に同一である。ある例では、国際公開第２０１７／０４２４９２（Ａ１）号は、第１及び第２のポンプが、異なる長さのストロークで軸方向に移動可能であるそれぞれの作動ロッド、即ち、長いストロークを有する第１の作動ロッドと、短いストロークを有する第２の作動ロッドと、を備えることを特徴とする、デュアルディスペンサについて記載している。したがって、異なる量のそれぞれの組成物が分配される。ある例では、第１のポンプは、浸漬チューブ型ポンプであり、第２のポンプは、エアレス型ポンプである。別の例では、第１及び第２のポンプの両方は、浸漬チューブ型ポンプ又はエアレス型ポンプのいずれか一方である。更に別の例では、第１のポンプは、エアレス型ポンプであり、第２のポンプは、浸漬チューブ型ポンプである。好ましい例では、ポンプは、それぞれのリザーバから第１及び第２の組成物を排出するために必要なエネルギーを提供する押しボタンによって作動可能である。即ち、デュアルディスペンサは、手で駆動される。ユーザは、最良の結果のために、ポンプを完全なストロークで分配するように促されるべきである。これは、フィードバック機構（視覚、音、触覚など）を用い、かつ作動させる力を十分に小さく保つ使用方法によって達成されてもよい。好ましくは、ポンプ（複数可）を作動させるピーク力は、４５Ｎ未満、より好ましくは３５Ｎ未満、更により好ましくは２５Ｎ未満、あるいは、４５Ｎ〜１０Ｎであるべきである。ピーク力の非限定的な例としては、１５Ｎ、１７Ｎ、２０Ｎ、２３Ｎ、２５Ｎ、又は２７Ｎが挙げられる。
【００５９】
出口チャネルは、単一のノズル内に一緒に位置付けられている。ノズルは、収束出口チャネルの外側部分である。第１の組成物及び第２の組成物は、互いにそれぞれの第１及び第２の出口オリフィスを出た後になって初めて接触することが非常に好ましい。したがって、第１の出口オリフィス及び第２の出口オリフィスは、同一平面上にあることが好ましい。これは、投与中の第１及び第２の組成物の早期のクロスコンタミネーションのリスクを最小限に抑えるのに役立つ。
【００６０】
図５Ａ〜図５Ｄを参照すると、様々なノズル（それぞれ４１、１４１、２４１、３４１）の断面図である。図５Ａ〜図５Ｄの第１の出口オリフィス（それぞれ４３、１４３、２４３、３４３）は、中央に位置する。図５Ａ〜図５Ｄの第２の出口オリフィス（それぞれ４４、１４４、２４４、３４４）は、第１の出口オリフィスの周縁部を少なくとも部分的に取り囲む。図５Ａでは、第２の出口オリフィスは、第１の出口オリフィスの周縁部を完全に取り囲む。即ち、第２の出口オリフィスは、第１の出口オリフィスを同心円状に取り囲む。図５Ｂでは、第２の出口オリフィスは、第１の出口を完全に取り囲んではいない。図６は、図５Ｂのノズルの同じ断面図であるが、第２の出口オリフィス（５４）が第１の出口オリフィス（５３）の周縁部を取り囲む割合を説明するための角度θ（５７）を示す。中心軸（５６）は、第１の出口オリフィスの重心と交差し、断面平面に垂直である。角度θは、中心軸（５６）を中心として測定される。図６では（それ故に、図５Ｂと同様に）、第２の出口オリフィス（５４）は、第１の出口オリフィス（５３）の周縁部の８８％を取り囲む。この同じアプローチを図５Ｃに適用すると、第２の出口オリフィス（２４４）は、第１の出口オリフィス（２４３）の周縁部の５０％を取り囲む。ある例では、第２の出口オリフィスは、第１の出口オリフィスの周縁部の２５％、好ましくは少なくとも４０％を部分的に取り囲む。この割合の非限定的な例としては、１０％、２５％、４０％、６０％、８０％、又は９０％が挙げられ得る。
【００６１】
図５Ｄは、隔壁（３４５、３４７Ａ、３４７Ｂ）の存在を除いて、図５Ａと類似のノズル（３４１）の断面図である。外側上部隔壁（３４７Ａ）及び外側下部隔壁（３４７Ｂ）は、第２の出口オリフィスを、等しく寸法設定された左の第２の出口オリフィス（３４４Ａ）及び右の第２の出口オリフィス（３４４Ｂ）に分割する。左右の第２の出口オリフィス（３４４Ａ、３４４Ｂ）は、（隔壁（３４７）の存在を除いて）第１の出口オリフィス（３４３Ａ、３４３Ｂ）の周縁部を完全に取り囲む。第１の出口オリフィスはまた、内側隔壁（３４５）によって、等しく寸法設定された左の第１の出口オリフィス（３４３Ａ）及び右の第１の出口オリフィス（３４３Ｂ）に分割される。隔壁は、特に、より大量の被分配製品を分配するときに、第１の出口オリフィスへの安定性が高いこと、又は分離状被分配製品に固有の構造／形状をもたらすこと、を含む利点を提供することができる。ある例では、隔壁は、第１の出口オリフィス、又は少なくとも部分的に第２の出口オリフィス、あるいは第１の出口オリフィス及び少なくとも部分的に第２の出口オリフィスの両方を分割する。
【００６２】
内側の第１のオリフィス（複数可）及び取り囲む第２のオリフィス（複数可）の横断面積を変化させることは、分配後ドローリングのレベル及び作動する力に影響を及ぼす場合がある。１つのチャネルの横断面積が小さすぎる場合、作動する力が、過度に増大する場合がある。反対に、横断面積が大きすぎる場合、製品の外観は、一貫性が小さくなるように開始する場合があり、また、ユーザは、かなりの量の分配後ドローリングを経験する場合がある。分配の他の変数を制御する（例えば、実施例のセクションに記載される制御された投与方法を使用すると、内側のオリフィス（複数可）の総横断面積は、１ｍｍ２〜５ｍｍ２、又は２〜３．５ｍｍ２である。外側の取り囲むオリフィス（複数可）の総横断面積は、１０ｍｍ２〜５０ｍｍ２、又は２０ｍｍ２〜４０ｍｍ２、又は２５ｍｍ２〜３７ｍｍ２、又は２９ｍｍ２〜３５ｍｍ２である。ある例では、参照図５Ａでは、内側のオフィス（４３）の総横断面積は、２．７８ｍｍ２であり、外側の取り囲むオリフィス（４４）の総横断面積は、３１．７２ｍｍ２である。
【００６３】
理論に束縛されるものではないが、それぞれの出口オリフィスからの流量が類似するように、第１の出口オリフィス及び第２の出口オリフィスの横断面が最適化されるときに、最良の分配結果をもたらすことを見出した。これは、第１及び第２の組成物の同時分配を確実にする。例えば、それぞれの出口オリフィスが同様の断面を有することが好ましいのは、分配される第１及び第２の組成物が、同等の流動粘度を有する場合、分配流体チャネルが同様の抵抗を提供する場合、及びディスペンサが同様のストローク／投与量の弁に作用する場合である。しかしながら、例に記載される審美性のうちの一部を達成するために、それぞれの出口の横断面積の異なる比率を使用することが有利であり得る。これは、それぞれの分配チャネルから出る流れを段階的に減らすことが好ましく、更に場合によっては、異なるポンプ比を使用しても、好ましい場合があるためである。ある例では、第１の出口オリフィスの横断面積と第２の出口オリフィスの横断面積の比は、１：５〜１：２０、好ましくは１：８〜１：１５、より好ましくは１：９〜１：１３である。好ましくは、デュアルディスペンサは、スキンケア用デュアルディスペンサである。
【実施例】
【００６４】
配合例
図７Ａ〜図７Ｅは、比較例Ｉ１の配合及びデータの表１である。図８Ａ〜図８Ｅは、本発明の実施例ＩＩ及びＩＩの配合及びデータの表２である。図９Ａ〜図９Ｅは、本発明の実施例ＩＶ及びＶの配合及びデータの表３である。全ての部分の成分は、均質かつ均一な（可視塊を含まない）組成物が得られるまで共に混合される。アクリレーツ／アクリル酸アルキル（Ｃ１０−３０）クロスポリマーを含有するこれらの第１又は第２の部分では、アミノメチルプロパノールで中和した後、均質かつ均一な組成物が得られるまで混合しながら他の全ての成分を添加する。全ての測定は、Ｍｅｔｔｌｅｒ  Ｔｏｌｅｄｏ  Ｎｅｗ  Ｃｌａｓｓｉｃ  ＭＦ（モデル：ＭＳ４００２Ｓ／０１）によって計量された、０．３０ｇの分離状被分配製品に対して行われる。測定を３回行い、算術平均を報告する。
【００６５】
消費者選好
３０名の消費者パネルを使用して、比較用「並列型」被分配製品と本発明の実施例との間の視覚的選好を評価する。図１０Ａは、本発明の実施例Ａの被分配製品（６１）の上面概略図である。第２の部分（６３）は、第１の部分（６５）を取り囲む。本発明の実施例Ａを分配するために使用されるノズルの断面図は、図５Ａに既に記載されている。本発明の実施例Ａでは、Ａｐｔａｒサプライヤから入手可能な同心ノズル設計を有するＮｅｏｍｉｘパッケージを使用し、これは、１：３の第１の部分と第２の部分との間の体積比（即ち、第１の部分の１部及び第２の部分の３部）で、総体積０．３ｍＬ（約０．３グラム）を分配する。特に、肉眼で見ることができるように、本発明の実施例Ａでは、第２の部分は、第１の部分を完全に取り囲む。
【００６６】
図１０Ｂは、比較例Ｂの被分配製品（６６）の上面概略図である。第２の部分（６７）は、第１の部分（６９）に当接している。図１１はまた、比較例Ｂの被分配製品（１６６）の上面概略図であり、図１０Ｂの被分配製品と類似している。しかしながら、第１の部分（１６９）と第２の部分（１６７）との間の当接部（１６８）の長さ（Ｌ）が示されている。当接部（１６８）の長さ（Ｌ）を使用して、「取り囲む割合」法で以下に定義されるように、第２の部分（１６７）が第１の部分（１６９）の最大周縁部を取り囲む割合を計算する。図１２を参照すると、「並列型」ノズル（７１）を使用して、比較例Ｂの被分配製品を分配する。ノズル（７１）は、第１の出口オリフィス（７９）を有する第１の流体チャネル（７７）と、第２の出口オリフィス（７５）を有する第２の流体チャネル（７３）と、を有する。第１及び第２の流体チャネル（７３、７７）は、互いに並んでいる。比較例Ｂでは、Ｙｏｎｗｏｏ（韓国）サプライヤから入手可能なデュアルチャンバ並列型分配パッケージを使用し、これは、１：１の第１の部分と第２の部分との間の体積比で、総体積０．３ｍＬ（約０．３グラム）の分離状被分配製品を分配する。それぞれの被分配製品の第１及び第２の部分の配合は、同一である。比較例Ｂの配合及びデータは、表１、図７Ａ〜図７Ｅの比較例Ｉとして提供される。そして、本発明の実施例Ａの配合及びデータは、表２、図８Ａ〜図８Ｅの実施例ＩＩとして提供される。
【００６７】
この評価において、パネリストは、０〜１０スケールで等級付けするように要請される。より高い数は、提示された質問との一致がより高いことを示している。確率＜０．１のときに有意に異なると判定される、両側スチューデントｔ検定を使用して統計分析を実施した。結果を表４に示す。本発明の実施例Ａは、提示された両方の質問について比較例Ｂと比較して有意に良好である。
【００６８】
【表１】
2021527560.tif 000003
【００６９】
要約すると、消費者パネルは、比較例Ｂと比較して本発明の実施例Ａを高級であり、かつ他とは違うという両方であると見なした。
【００７０】
取り囲む割合
第２の部分が第１の部分の最大周縁部を取り囲む割合を評価するために試験方法を説明する。図１３Ａ及び図１３Ｂに示される２つの例からの結果を提示する。図１３Ａ及び図１３Ｂの両方は、それぞれ、被分配製品の上面概略図である。図１３Ａは、分離状被分配製品（８１）を示し、第２の部分（８３）は、第１の部分（８５）を完全に取り囲む。図１３Ｂは、分離状被分配製品（１８１）を示し、第２の部分（１８３）は、第１の部分（１８５）を完全に取り囲んでいない（むしろ、少なくとも部分的に取り囲む）。この方法は、第２の部分が第１の部分の最大周縁部を取り囲む割合を評価する。
【００７１】
本方法では、対象の被分配製品は、平面状標的表面としての平坦なＬｅｎｅｔａカード上に分配される。分配後、カラーデジタル画像をすぐに（好ましくは５秒以内に）撮影し、カメラのカメラレンズは、Ｌｅｎｅｔａカードから垂直に２０〜３０ｃｍ離して位置付けられる。画像解析により、被分配製品に対応する画像の部分が単離される。色差に基づく閾値が確立され、画像は、第１の部分に対応する領域（又は、第２の部分によって少なくとも部分的に取り囲まれた２つ以上の部分が存在する場合には、他の部分）及び被分配製品全体に対応する領域に分割される。次いで、第１の部分の最大周縁部を取り囲む第２の部分の割合を決定する。
【００７２】
被分配製品は、被分配製品のディスペンサから分配され、ディスペンサのノズルは、Ｌｅｎｅｔａカードに対して垂直に向けられ、分配中、静止したままである。本明細書の実施例では、標準化ディスペンサ（後述する「電子シリンジポンプ」）が使用される。ノズルの動き、ノズル角度、及び分配流量からの変動は、評価されたサンプルにおいて標準化される。本発明の配合実施例Ｖ（表３、図９Ａ〜図９Ｅに提供）は、図５Ａ及び図５Ｂによって表される異なる構成を有する２つのノズルで評価される。第１の部分は、実施例Ｖの第１の組成物として記載され、第２の部分は実施例Ｖの第２の組成物として記載されている。第１のシリンジは、第１の組成物を収容し、第２のシリンジは、第２の組成物を収容する。シリンジは、可撓性チューブを介してノズルに流体接続されている。簡潔に述べると、図１３Ａの被分配製品を分配するために使用されるノズルは、図５Ａに図示されており、第１の部分の分配横断面積（即ち、第１の出口オリフィス）は、３ｍｍ２であり、第２の部分の分配横断面積（即ち、第２の出口オリフィス）は、３２ｍｍ２である。簡潔に述べると、図１３Ｂの被分配製品を分配するために使用されるノズルは、図５Ｂに図示されており、第１の部分の分配横断面積（即ち、第１の出口オリフィス）は、３ｍｍ２であり、第２の部分の分配横断面積（即ち、第２の出口オリフィス）は、２４ｍｍ２である。ノズルは、Ｌｅｎｅｔａカードから２ｍｍ離して配置され、ノズルの中心軸は、Ｌｅｎｅｔａカードに対して垂直である。分配される第１及び第２の組成物の速度及び量は、電子シリンジポンプ（Ｃｈｅｍｙｘ  Ｉｎｃ．製のＦｕｓｉｏｎ２００シリンジポンプ又は等価物）及びシリンジ（第１の部分のシリンジ：直径１３ｍｍのＴｅｒｕｍｏ  ５ｍＬ、及び第２の部分のシリンジ：直径２３．１ｍｍのＴｅｒｕｍｏ  ３０ｍＬ）によって制御される。シリンジポンプは、第２の部分のシリンジＴｅｒｕｍｏ  ３０ｍＬに対して１５ｍＬ／分の標準分配速度で、合計０．３ｍＬの分離状被分配製品（第１及び第２の部分の組み合わせ体積）を分配するように調整される。様々なサイズのシリンジを適切に使用して、分離状被分配製品の所望の体積及び比率を得ることができる。次いで、分離状被分配製品を撮像する。
【００７３】
撮像システムは、周囲の４つの全側面上に黒色不透明背景を有する光ブースを含む。光ブースは、２つのＬＥＤスポットライト（例えば、直径８ｃｍのＳｏｌａｘ−ｉＯ  ＬＥＤ人工太陽光源、Ｅｄｍｕｎｄ  Ｏｐｔｉｃｓ製の偏光フィルム１００ｍｍ  ＳＱ  ＴＳ  ＃８６１８７を備えたモデルＬＥ−９ＮＤ６５）を用いて照明される。スポットライトは、被分配製品の両側に４５度で存在する。分離状被分配製品までのスポットライトの距離は、１８ｃｍである。デジタルカラーカメラ（カメラ情報：Ｃａｎｏｎ  ＥＯＳ  ６００Ｄ、レンズ：Ｖｉｔａｃｏｎ  ｐｒｏｆｅｓｓｉｏｎａｌ  ＰＬ  ６７ｍｍ偏光フィルタを備えたＣａｎｏｎレンズＥＦ  ３５ｍｍ  １：２  ＩＳ  ＵＳＭ）は、頭上にあり、カメラレンズは、分離状被分配製品の中心かつ頭上に位置付けられる。撮像された画像内の分離状被分配製品の最小面積は、４０００画素である。カメラレンズ及びスポットライトの両方の偏光子は、鏡面反射を低減するように調整される。色較正のための２４標準カラーチェッカーチャート（例えば、Ｘ−ｒｉｔｅ  Ｃｏｒｐｏｒａｔｉｏｎ  Ｉｎｃ（Ｇｒａｎｄ  Ｒａｐｉｄｓ，ＭＩ，ＵＳＡ）の「Ｃｏｌｏｒ  Ｃｈｅｋｅｒ  Ｐａｓｓｐｏｒｔ」チャート又は等価物）。Ｌｅｎｅｔａカード及びカラーチェッカーチャートは、同じ視野内にあるように配置される。カメラ露光は、デジタル画像のヒストグラムが、上限に到達することなく、デジタル画像のダイナミックレンジの上半分内にある画像強度を示すように設定される。これにより確実に、飽和（即ち、クリッピング）が存在せず、画像は、十分に露光される（ただし、過剰露光されない）。分離状被分配製品は、所定の位置でＬｅｎｅｔａカード上に分配される。画像は、分配後３秒以内に撮影される。分離状被分配製品の画像の概略上面図は、図１３Ａ及び図１３Ｂに提供されている。第２の部分は、透明であるが、第１の部分は、有色である。更に、第１の分離状被分配製品（配合実施例Ｖ）は、透明な第２の部分を通って明確に見ることができるオレンジ色染料を含み、被分配製品は、肉眼に対して透明なシェル（第２の部分）内に封入されたオレンジ色の色のコア（第１の部分）として現れ、これは美しく、かつ高級な見た目の分離状被分配製品の画像を与える。得られた画像は、第２の部分が第１の部分の最大周縁部を取り囲む割合を最終的に決定するために、画像解析が行われる。
【００７４】
第１に、背景を撮像する。視野を満たす白色の紙のシートの写真を撮影する。明確化のために、これは、Ｌｅｎｅｔａカード又はカラーチェッカーチャートを含まない。画像からのノイズが除去され、得られた画像は、「割合画像」に変換され、それぞれの画素は、画像内の最大強度の割合を表す。Ｌｅｎｅｔａカード上の被分配製品及び被分配製品に隣接するカラーチェッカーチャートを伴う画像が取得される。「フラットフィールド」背景補正画像は、被分配製品の画像を被分配製品に隣接するカラーチェッカーチャートと共に撮影し、この画像を「割合画像」で除することによって作成される。
【００７５】
第２に、背景補正画像は、較正されたＣＩＥＬＡＢ色空間画像に変換される。それぞれのチップのＲＧＢ値は、カラーチェッカーチャートで測定される。カメラＲＧＢ値を、較正された三刺激ＸＹＺ値に変換する変換が展開される。次いで、変換を背景補正画像内の全ての画素に適用して、較正されたＸＹＺ画像を生成する。次に、ＸＹＺ画像は、Ｄ６５照明、ＡＳＴＭ規格Ｅ３０８−０１につき１０度の観察者に対して分析ＣＩＥ式を使用することによって、較正ＣＩＥＬＡＢ色空間画像に変換される。「ＬＡＢ」及び「ＸＹＺ」は、国際照明委員会（「ＣＩＥ」）によって規定された一般に認められている色空間を指す。
【００７６】
第３に、ΔＥ画像を計算する。白色のＬｅｎｅｔａカードの色は、基準色として定義されている。色差は、画素ごとにＣＩＥΔＥ２０００の式（ＡＳＴＭ規格Ｎｏ．Ｄ２２４４−１６）を使用して、較正ＣＩＥＬＡＢ色空間画像を色差画像に変換して、基準色と比較して算出される。本発明のいくつかの好ましい例では、第２の部分は、少なくとも部分的に透明又は透明であり、第１の部分は、不透明であり、好ましくは不透明であり、より好ましくは不透明であり、有色である。このような例では、第２の部分は、白色のＬｅｎｅｔａカードよりもわずかに暗く、したがってある程度の色を有してもよい。この目的のために、第２の部分は、（基準色と比較して）５〜２０の範囲内のΔＥを有してもよい。第１の部分は、これらの好ましい例では、典型的には、白色のＬｅｎｅｔａカード及び第２の部分とははるかに異なる色を有する。即ち、第１の部分のΔＥは、通常、第２の部分のΔＥよりも高く、例えば、１０を超えるように設計される。
【００７７】
第４に、分離状被分配製品全体に対応する画像の部分は、残りの画像のみのコンテンツが被分配製品に対応する、即ち、「被分配製品のマスク」画像に対応するように、（例えば、白色のＬｅｎｅｔａカード基材背景及びカラーチェッカーに対応する）較正されたΔＥ画像の残部から分離される。デジタル画像解析ソフトウェアパッケージを使用して解析が実行される場合、例えば、被分配製品のマスクを画定するために適切な閾値を使用することによって、又は被分配製品のマスクを手動で構築することによって解析が行われ、被分配製品に対応する領域のみが残り、他の全ての画素が値を有さなくてもよい。
【００７８】
場合によっては、例えば、第２の部分が透明である場合、被分配製品の周囲に「ハロー効果」が生成される光学効果が存在し得る。このハロー効果は、第１の部分から反射／屈折する光が、漏出する前に第２の部分の内側で相互作用して、被分配製品の周縁部に隣接して光学効果を生じさせる光学効果である。このような状況では、画像内のいかなるハロー効果アーチファクトも除去するのに十分なだけ外側被分配製品のマスクを（画素ごとの画像「浸食」などにより）均一に低減するが、そのような浸食は、被分配製品領域を、被分配製品領域の８％を超えるだけ、好ましくは５％以下だけ減少させるべきではない。
【００７９】
第５に、第１の部分のマスク画像が生成される。被分配製品のマスク内のそれぞれの画素のΔＥ値を（上記工程３のように）抽出する。Ｏｔｓｕ閾値法を使用して、ΔＥ閾値を使用して第１の部分のマスクを画定する。ハロー効果が観察され、被分配製品のマスクが浸食されている場合、この浸食された被分配製品のマスクは、第１の部分のマスク生成に使用される。
【００８０】
第６に、それぞれの内側の第１の部分のマスク及び被分配製品のマスクの周縁部マスクが形成される。これらのマスクは、周縁部のみであり、好ましくは単一の画素幅のみである。
【００８１】
第７に、被分配製品の周縁部長、第１の部分の周縁部長、及び重複周縁部長（存在する場合）が、周縁部マスクから計算される。第１の部分の周縁部長は、第１の部分の周縁部マスクから測定される。被分配製品の周縁部長は、被分配製品の周縁部マスクから測定される。第２の部分によって取り囲まれた第１の部分のその部分は、存在する場合、特定され、測定されて、図１１に概略的に表され、１６８として参照される「重複周縁部長」（Ｌ）をもたらす。「重複周縁部長」及び「第１の部分の最大周縁部」という用語は、互換的に使用される。
【００８２】
最後に、第２の部分が第１の部分の最大周縁部を取り囲む割合が決定される。重複周縁部長（Ｌ）を、第１の部分の周縁部長（Ｐ）によって除し、１００％を乗じて、最も近い整数パーセントで報告する。図１４は、第１の部分（９５）が第２の部分（９３）によって部分的に囲まれている、分離状被分配製品（９１）の上面図を図示する。第１の部分の周縁部（９７）は、第１の部分（９５）の周縁部全体の長さであり、この長さは、取り囲む割合を計算するためにＰと称される。分離状被分配製品の周縁部（９２）は、被分配製品（９１）の周縁部全体の長さである。重複周縁部長（９８）は、第２の部分（９３）によって取り囲まれた第１の部分の周縁部（９７）の長さであり、この長さは、取り囲む割合を計算するためにＬと呼ばれる。
【００８３】
第１の部分及び第２の部分が７０以下の「ΔＥ試験方法」（「ＰＤＥＴＭ」）値を有する状況では、上述の第５の工程におけるＯｔｓｕ閾値は、彩度閾値を利用して第１の部分のマスク画像を決定する。この場合、彩度画像が必要である。彩度画像は、それぞれの画素を彩度値に変換することによって、ＣＩＥＬＡＢ色空間からＡ値及びＢ値を使用して、「ＣＩＥＬＡＢ色空間画像」から計算される。式、この変換は、彩度＝ｓｑｒｔ（Ａ＾２＋Ｂ＾２）である。
【００８４】
図１３Ａ及び図１３Ｂを再び参照すると、それぞれの被分配製品の第１の部分の周縁部及び重複周縁部長は、上記の方法によって識別される。上記のような電子シリンジポンプを使用して、図１３Ａ及び図１３Ｂに図示した分離状被分配製品を分配した。図１３Ａの分離状被分配製品の第１の部分の周縁部は、１．９４ｃｍであり、重複周縁部長もまた１．９４ｃｍである。重複周縁部長及び第１の部分の周縁部は同じであるため、第２の部分は、完全に（即ち、１００％）、図１３Ａに表される分離状被分配製品内の第１の部分を取り囲む。そして、図１３Ｂの分離状被分配製品について、（ハロー効果に対して）７．８％面積の浸食を考慮した後、第１の部分の周縁部は、１．９９ｃｍであり、重複周縁部長は、１．１７ｃｍである。図１３Ｂのように、第２の部分は、第１の部分の最大周縁部の５９％を取り囲む［（１．１７÷１．９９）＊１００］。
【００８５】
【表２】
2021527560.tif 000004
【００８６】
要約すると、図１３Ａの分離状被分配製品は、上記の方法で使用される。第１の工程では背景補正画像が得られ、その背景補正画像は、第２の工程においてＣＩＥＬＡＢ色空間画像に較正される。第３の工程では、ΔＥ画像が計算される。次いで、（ハロー効果に対する浸食を伴う工程４で生成された）被分配製品のマスク画像及び（第５の工程で生成された）第１の部分のマスク画像を第６の工程で使用して、被分配製品の周縁部マスク及び第１の部分の周縁部マスクをそれぞれ作成する。最後に、第７の工程では、第６の工程で作成された周縁部マスクを使用して、（５．７２ｃｍである）分離状被分配製品の周縁部の長さ、（１．９４ｃｍである）第１の部分の周縁部の長さ、及び（１．９４ｃｍであると算出される）重複周縁部長を特定する。上記データから、重複周縁部長（Ｌ）を第１の部分の周縁部（Ｐ）で除し、１００を乗じて［（１．９４÷１．９４）＊１００］、第２の部分が第１の部分の最大周縁部を取り囲む割合を得る。
【００８７】
同様に、この方法は、図１０Ｂの分離状被分配製品６６によって表される消費者調査における比較例Ｂと類似の、図１１の分離状被分配製品（１６６）に適用することができる。本明細書では、当接部（１６８）の長さは、重複周縁部長（Ｌ）又は第１の部分の最大周縁部である。当接部のこの長さを使用して、第２の部分（１６７）が第１の部分（１６９）の最大周縁部を取り囲む割合を計算し、その割合は、（表１、図７Ｅの比較例Ｉのデータセクションにも示した）２５．６％であると決定される。
【００８８】
長さ：高さの比
分離状被分配製品の長さ及び高さを測定し、これらの比を記載する。被分配製品が分配され、ディスペンサのノズルは、平坦かつ水平なＬｅｎｅｔａカード上で垂直に向けられ、分配中に静止したままであり、被分配製品は、３秒以内に、寸法が得られる側から撮像される。分配ノズルは、分配中にＬｅｎｅｔａカードから２ｍｍ離して配置されている。カメラは、Ｌｅｎｅｔａカード表面から離れる向きの被分配製品の突出距離が最大化されるように位置付けられる。カードは、被分配製品の平面状接触面の突出長さが最大化されるように回転される。カメラ及びカメラレンズ（カメラ情報：Ｃａｎｏｎ  ＥＯＳ  ６００Ｄ、レンズ：ＣａｎｏｎレンズＥＦ  ３５ｍｍ  １：２  ＩＳ  ＵＳＭ）は、被分配製品の長さに垂直であり、同一平面状接触面内に存在するように位置付けられる。被分配製品の上方に位置する照明源は、被分配製品と背景との間に十分なコントラストをもたらすように、被分配製品を照らす。撮像された画像は、３５０画素／ｃｍ以上の空間解像度を有するべきである。画像は、好ましくは被分配製品と同じ焦点距離に位置する定規又は空間較正ターゲットと共に撮像される。
【００８９】
被分配製品の画像は、記載した撮像設定を使用して撮像される。被分配製品の最大長を、被分配製品の平面状接触面において、即ち、分配された製品がＬｅｎｅｔａカードと接触する面において評価し、長さ（Ｌ）として測定し、ｃｍ単位で記録し、小数第２位まで報告する。Ｌｅｎｅｔａカードの平面から離れる方向に垂直である被分配製品の最大突出距離を、被分配製品の高さ（Ｈ）として測定し、ｃｍ単位で記録し、小数第２位まで報告する。無次元商Ｌ／Ｈを計算し、小数第２位まで報告する。
【００９０】
流動性
分離状被分配製品流動性試験方法（「ＤＤＰＦＴＭ」）が本明細書に記載され、２５℃において平坦表面上４５度の角度で第１の部分又は第２の部分（本明細書では、集合的に「部分」と称される）の移動速度（ｃｍ／ｍｉｎとして報告）を決定する。シリンジ（Ｔｅｒｕｍｏ  １ｃｃシリンジ又は等価物）を、対象部分に対応する０．３ｍＬの組成物で充填し、０．３ｍＬの充填組成物を、水平に配置されたＬｅｎｅｔａカード（Ｏｐａｃｉｔｙ  Ｃａｒｄ  Ｆｏｒｍ  ２Ａ，Ｌｅｎｅｔａ  Ｃｏｍｐａｎｙ，Ｉｎｃ（Ｍａｈｗａｈ，ＮＪ，ＵＳＡ）、又は等価物）上に２秒以内に分配すし、Ｌｅｎｅｔａカード上に部分の液滴を形成する。分配シリンジは、分配中にＬｅｎｅｔａカードから２ｍｍ離して配置され、分配中に静止したままである。その直後に（３秒以内に）、Ｌｅｎｅｔａカードを傾斜テーブル上で４５度に傾斜させる（０．５秒以内）。１分間に液滴の前縁部によって横断される距離を、０．５ｍｍ単位で測定する。流動性は、単位がｃｍ／分の速度として定義され、小数第２位まで報告される。液滴がＬｅｎｅｔａカードの縁部に１分未満で到達した場合には、液滴の前縁がＬｅｎｅｔａカード上で１０ｃｍ移動するのにかかる時間を記録して速度を計算する。
【００９１】
振動レオメトリー
部分振動レオメトリー試験方法（ＰＯＲＴＭ）を使用して、本明細書に記載されるような部分（例えば、分離状被分配製品の第１又は第２の部分）の、Ｐａ単位で報告される「クロスオーバー応力」を決定する。この試験には、（ペルチェ冷却器及び抵抗加熱器の組み合わせを使用する）部分のサンプル温度制御が可能な、制御された歪み回転式レオメータ（Ｄｉｓｃｏｖｅｒｙ  ＨＲ−２、ＴＡ  Ｉｎｓｔｒｕｍｅｎｔｓ（Ｎｅｗ  Ｃａｓｔｌｅ，ＤＥ，ＵＳＡ）、又は等価物など）を使用する。試験前に、それぞれの部分のサンプルを分離された容器に保管し、温度制御された実験室（２３±２℃）に一晩置いた。試験中、実験室温度は、２３±２℃で制御される。４０ｍｍ網目状のステンレス鋼平行板工具を用いて平行板構成でレオメータを操作する。レオメータを２５℃に設定する。部分のサンプルの構造における変化を防ぐように、スパチュラを使用してサンプル容器から、およそ２ｍＬの部分のサンプルをペルチェプレート上に静かに載せ、サンプルを載せた後に間隙が１０００μｍに達したときに、余分な突出サンプルを全てトリミングする。次いで、測定が開始される前に、部分のサンプルを２５℃で少なくとも１２０秒間平衡化する。異なるレオメータが使用される場合、試験前に部分のサンプル温度が確実に２５℃に達するように平衡時間を適宜延長する。試験は、２５℃において１Ｈｚ（即ち、毎秒１サイクル）に固定された振動周波数で、対数モードで歪み振幅０．１％から１０００％まで増加させたレオメータで開始する。サンプリングされたそれぞれの歪み振幅について、得られた時間依存応力を、当業者に既知の従来の対数振動歪み形式に従って分析して、それぞれの工程において貯蔵弾性率（Ｇ’）及び損失弾性率（Ｇ”）を得る。プロットは、Ｇ’及びＧ”（両方ともパスカル単位で表示、縦軸）を歪み振幅（歪パーセント、横軸）に対してプロットして作成される。Ｇ’及びＧ”の軌跡の交差（即ち、ｔａｎ（δ）＝Ｇ”／Ｇ’＝１の場合）が記録される最小歪み振幅。この点は、クロスオーバー点として定義され、この点での振動応力は、「クロスオーバー応力」として定義され、Ｐａの単位で最も近い整数で報告される。本開示によって提供されるレオメータによって測定されるレオロジー特性としては、貯蔵弾性率Ｇ’、損失弾性率Ｇ”、損失係数ｔａｎ（δ）が挙げられるが、これらに限定されない。クロスオーバー点は、（ＴＡ  ｉｎｓｔｒｕｍｅｎｔによって提供される）ＴＲＩＯＳソフトウェアを使用して抽出され、他の同等のレオロジーソフトウェアに適用可能である。
【００９２】
不透明度の測定
部分不透明度試験方法（「ＰＯＴＭ」）を使用して、（分離状被分配製品の）第１の部分又は第２の部分の不透明度を判定する。結果は百分率として報告され、百分率が高い程、サンプルの不透明度がより大きい。一般に、不透明度は、光を通過させない材料の品質である。百分率の値が高い程、より高い隠蔽力を意味し、それ故に、透明度が低いことを意味する。可視スペクトルにわたってＣＩＥ  Ｄ６５照明条件下で三刺激値ＣＩＥ  ＸＹＺをもたらすことができる分光光度計（分光光度計ＣＭ−３６００Ａ、コニカミノルタ（日本）、又は等価物など）が本方法に使用される。分光光度計は、２°の観察者及びＤ６５光源を用いて１９３１  ＣＩＥにより定義された三刺激ＸＹＺ値をもたらす条件下で操作される。部分のサンプルは、プラスチックセル（ＣＭ−Ａ１３１、コニカミノルタ（日本）又は等価物など）における１０ｍｍ光路長、反射率測定、標本表面での２５．４ｍｍの絞り開口、正反射成分を含まない測色を用いて評価される。不透明度を計算するために２組の三刺激値が必要であり、１つは、白色背景の前での製品の１０ｍｍサンプルセルの値であり、もう１つは、黒色背景の前での値である。許容可能な白色背景としては、不透明カード（Ｏｐａｃｉｔｙ  Ｃａｒｄ  Ｆｏｒｍ  ２Ａ，Ｌｅｎｅｔａ  Ｃｏｍｐａｎｙ，Ｉｎｃ（Ｍａｈｗａｈ，ＮＪ，ＵＳＡ）、又は等価物など）の白色部分が挙げられ、許容可能な黒色背景は、不透明カード（Ｏｐａｃｉｔｙ  Ｃａｒｄ  Ｆｏｒｍ  ２Ａ，Ｌｅｎｅｔａ  Ｃｏｍｐａｎｙ，Ｉｎｃ（Ｍａｈｗａｈ，ＮＪ，ＵＳＡ）、又は等価物など）の黒色部分である。不透明度は、黒色背景を使用するＹ三刺激値を白色背景を用いるＹ三刺激値で除した商に１００％を乗じて計算することによって決定される。不透明度は、最も近い整数百分率で報告される。
【００９３】
ΔＥ＊
部分ΔＥ＊試験方法（「ＰＤＥＴＭ」）を使用して、第１の部分と第２の部分との間の色差を決定し、ΔＥ＊値を得る。ΔＥ＊は、ＣＩＥＬＡＢ色空間における２つの色刺激の間の計算されたユークリッド距離である。ＣＩＥＬＡＢ値がＬ＊２、ａ＊２、ｂ＊２であるサンプル製品について、ＣＩＥＬＡＢ値Ｌ＊１、ａ＊１、ｂ＊１を有する第２の製品との間の色差、即ち、デルタＥ＊（ΔＥ＊）は、下式で与えられる。
【００９４】
【数１】
2021527560.tif 000005
【００９５】
可視スペクトルにわたってＣＩＥ  Ｄ６５照明条件下でＣＩＥＬＡＢをもたらすことができる分光光度計（分光光度計ＣＭ−３６００Ａ、コニカミノルタ（日本）、又は等価物など）が本方法に使用される。分光光度計は、２°の観察者及びＤ６５光源を用いてＣＩＥＬＡＢ値をもたらす条件下で操作される。部分のサンプルは、プラスチックセル（ＣＭ−Ａ１３１、コニカミノルタ（日本）、又は等価物など）における１０ｍｍ光路長、反射率測定、標本表面での２５．４ｍｍの絞り開口、及び正反射成分を含まない測色を用いて評価される。白色背景（Ｏｐａｃｉｔｙ  Ｃａｒｄ  Ｆｏｒｍ  ２Ａ，Ｌｅｎｅｔａ  Ｃｏｍｐａｎｙ，Ｉｎｃ（Ｍａｈｗａｈ，ＮＪ，ＵＳＡ）、又は等価物の白色部分など）を、１０ｍｍの製品サンプルの背後で使用する。Ｌ＊値、ａ＊値、及びｂ＊値は、第１の部分及び第２の部分の両方について連続して決定され、小数第２位まで記録される。上記式を用いてΔＥ＊を計算し、これを最も近い整数で報告する。
【００９６】
結果を、図７Ａ〜図７Ｅの表１、図８Ａ〜図８Ｅの表２、及び図９Ａ〜図９Ｅの表３においてそれぞれ報告する。
【００９７】
本明細書中で「実施形態（複数可）」等と言った場合、その実施形態と関連付けて説明される特定の材料、特徴、構造及び／又は特性が少なくとも１つの実施形態、場合によりいくつかの実施形態に含まれることを意味するが、全ての実施形態が記載される材料、特徴、構造、及び／又は特性を含むことを意味するものではない点は理解されよう。更に、材料、特徴、構造、及び／又は特性は、異なる実施形態にわたって、任意の好適な方法で組み合わされてもよく、材料、特徴、構造、及び／又は特性は、説明されるものから除外されてもよいし、代用されてもよい。したがって、本明細書に記載されている実施形態及び態様は、別段明記しない限り又は不適合性が明示されてされない限り、組み合わせて明示的に例示されていなくても、他の実施態様及び／又は態様の要素又は構成成分を含むか又はこれらと組み合わされることが可能である。
【００９８】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。本明細書に記載される全ての数値範囲はより狭い範囲を包含する。区切られた上下の範囲制限は、明示的に区切られていない更なる範囲を作る上で互換性がある。本明細書に記載する実施形態は、本明細書に記載の必須構成要素並びに任意成分を含み得る、それらから本質的になり得る、又はそれらからなり得る。本明細書及び添付の特許請求の範囲において使用される単数形「ａ」、「ａｎ」、及び「ｔｈｅ」は、文脈が明らかに他の意味を示さない限り、複数形も含むものとする。
【００９９】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０１００】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を、添付の特許請求の範囲に網羅することが意図されている。
【図１Ａ】
2021527560.tif 000006
【図１Ｂ】
2021527560.tif 000007
【図１Ｃ】
2021527560.tif 000008
【図１Ｄ】
2021527560.tif 000009
【図１Ｅ】
2021527560.tif 000010
【図１Ｆ】
2021527560.tif 000011
【図２Ａ】
2021527560.tif 000012
【図２Ｂ】
2021527560.tif 000013
【図２Ｃ】
2021527560.tif 000014
【図２Ｄ】
2021527560.tif 000015
【図２Ｅ】
2021527560.tif 000016
【図２Ｆ】
2021527560.tif 000017
【図３】
2021527560.tif 000018
【図４】
2021527560.tif 000019
【図５Ａ】
2021527560.tif 000020
【図５Ｂ】
2021527560.tif 000021
【図５Ｃ】
2021527560.tif 000022
【図５Ｄ】
2021527560.tif 000023
【図６】
2021527560.tif 000024
【図７Ａ】
2021527560.tif 000025
【図７Ｂ】
2021527560.tif 000026
【図７Ｃ】
2021527560.tif 000027
【図７Ｄ】
2021527560.tif 000028
【図７Ｅ】
2021527560.tif 000029
【図８Ａ】
2021527560.tif 000030
【図８Ｂ】
2021527560.tif 000031
【図８Ｃ】
2021527560.tif 000032
【図８Ｄ】
2021527560.tif 000033
【図８Ｅ】
2021527560.tif 000034
【図９Ａ】
2021527560.tif 000035
【図９Ｂ】
2021527560.tif 000036
【図９Ｃ】
2021527560.tif 000037
【図９Ｄ】
2021527560.tif 000038
【図９Ｅ】
2021527560.tif 000039
【図１０Ａ】
2021527560.tif 000040
【図１０Ｂ】
2021527560.tif 000041
【図１１】
2021527560.tif 000042
【図１２】
2021527560.tif 000043
【図１３Ａ】
2021527560.tif 000044
【図１３Ｂ】
2021527560.tif 000045
【図１４】
2021527560.tif 000046
【国際調査報告】
2021527560.tif 000047
2021527560.tif 000048
2021527560.tif 000049
2021527560.tif 000050
2021527560.tif 000051